(57)【要約】      （修正有）【課題】フレキシブル性に優れた表示装置を生かした装置を提供する。【解決手段】情報表示装置１は、少なくとも時刻情報を提示する時刻情報提示部２１と、腕に装着するためのバンド部２２とで構成される表示部１１と、表示部１１を少なくとも含む装置の状態を検出するセンサと、センサの検出結果に基づいてユーザのアクションを判別し、時刻情報提示部２１とバンド部２２の少なくとも一方の表示を変更する表示制御部とを備える。【選択図】図１
2019194612.tif 000002
【特許請求の範囲】
【請求項１】
少なくとも時刻情報を提示する時刻情報提示部と、腕に装着するためのバンド部とで構成される表示部と、
前記表示部を少なくとも含む装置の状態を検出するセンサと、
前記センサの検出結果に基づいてユーザのアクションを判別し、前記時刻情報提示部と前記バンド部の少なくとも一方の表示を変更する表示制御部と
を備える情報表示装置。
【請求項２】
前記表示制御部は、前記ユーザのアクションとして、前記情報表示装置をひねるアクションを判別し、前記時刻情報提示部と前記バンド部の少なくとも一方の表示を変更する
請求項１に記載の情報表示装置。
【請求項３】
前記表示制御部は、前記ユーザのアクションとして、前記情報表示装置をシェイクするアクションを判別し、前記時刻情報提示部と前記バンド部の少なくとも一方の表示を変更する
請求項１または２に記載の情報表示装置。
【請求項４】
前記表示制御部は、前記ユーザのアクションとして、前記ユーザの移動スピードを判別し、前記時刻情報提示部と前記バンド部の少なくとも一方の表示を変更する
請求項１乃至３のいずれかに記載の情報表示装置。
【請求項５】
前記表示制御部は、前記ユーザのアクションとして、前記ユーザの歩数を判別し、前記時刻情報提示部と前記バンド部の少なくとも一方の表示を変更する
請求項１乃至４のいずれかに記載の情報表示装置。
【請求項６】
前記情報表示装置の電源の残電圧を検出する残電圧検出部をさらに備え、
前記表示制御部は、前記電源の残電圧が所定のレベル以下である場合に、前記センサのサンプリングレートを変更する
請求項１乃至５のいずれかに記載の情報表示装置。
【請求項７】
前記表示部に表示させるためのデザインデータを他の通信装置から受信する通信部と、
受信した前記デザインデータを含む複数のデザインデータを記憶する記憶部と
をさらに備え、
前記表示制御部は、前記センサの検出結果に基づいて、前記複数のデザインデータのなかから１つのデザインデータを選択し、選択された前記デザインデータに基づいて、前記表示部の表示を変更する
請求項１乃至６のいずれかに記載の情報表示装置。
【請求項８】
前記センサは、加速度センサである
請求項１乃至７のいずれかに記載の情報表示装置。
【請求項９】
前記時刻情報提示部と前記バンド部とが、１枚の電気泳動型ディスプレイで構成される
請求項１乃至８のいずれかに記載の情報表示装置。
【請求項１０】
前記バンド部の表示は、柄模様を表す表示である
請求項１乃至９のいずれかに記載の情報表示装置。
【請求項１１】
少なくとも時刻情報を提示する時刻情報提示部と、腕に装着するためのバンド部とで構成される表示部と、前記表示部を少なくとも含む装置の状態を検出するセンサとを備える情報表示装置の表示制御部が、
前記センサの検出結果に基づいてユーザのアクションを判別し、前記時刻情報提示部と前記バンド部の少なくとも一方の表示を変更する
情報表示装置の情報表示方法。
【請求項１２】
コンピュータを、
少なくとも時刻情報を提示する時刻情報提示部と、腕に装着するためのバンド部とで構成される表示部の表示を変更する表示制御部
として機能させ、
前記表示制御部は、前記表示部を少なくとも含む装置の状態を検出するセンサの検出結果に基づいてユーザのアクションを判別し、前記時刻情報提示部と前記バンド部の少なくとも一方の表示を変更する
プログラム。
【請求項１３】
情報表示装置と端末装置とからなり、
前記情報表示装置は、
少なくとも時刻情報を提示する時刻情報提示部と、腕に装着するためのバンド部とで構成される表示部と、
前記情報表示装置の状態を検出するセンサと、
前記センサの検出結果に基づいてユーザのアクションを判別し、前記時刻情報提示部と前記バンド部の少なくとも一方の表示を変更する表示制御部と、
前記表示部に表示させるためのデザインデータを前記端末装置から受信する通信部と
を備え、
前記端末装置は、前記デザインデータを前記通信部に送信する
通信システム。
【発明の詳細な説明】
【技術分野】
【０００１】
本開示は、情報表示装置及びその情報表示方法、プログラム、並びに、通信システムに関し、特に、フレキシブル性に優れた表示装置を生かした装置を提供することができるようにする情報表示装置及びその情報表示方法、プログラム、並びに、通信システムに関する。
【背景技術】
【０００２】
一般に、電子ペーパなどとも呼ばれる電気泳動型ディスプレイ（Electrophoretic Display）がある。電気泳動型ディスプレイは、表示を切り替えるときのみ電流を流せばよく、表示を保持するために電流を流す必要がないため、消費電力が低いという特徴を有している。また、電気泳動型ディスプレイは、極薄型のフィルム状であり、ある程度自由に形状を変形させることができ、フレキシブル性に優れる。
【０００３】
電子ペーパを壁掛け用の時計の盤面表示に用いたものが提案されている（例えば、特許文献１参照）。また、腕時計の盤面表示に電子ペーパを用いたものもある（例えば、特許文献２参照）。
【先行技術文献】
【特許文献】
【０００４】
【特許文献１】特開２００８−３９６９７号公報
【特許文献２】特開２００７−２８５７４８号公報
【発明の概要】
【発明が解決しようとする課題】
【０００５】
近年、電気泳動型ディスプレイのようにフレキシブル性に優れた表示装置を用いた製品の開発が望まれている。
【０００６】
本開示は、このような状況に鑑みてなされたものであり、フレキシブル性に優れた表示装置を生かした装置を提供することができるようにするものである。
【課題を解決するための手段】
【０００７】
本開示の第１の側面の情報表示装置は、少なくとも時刻情報を提示する時刻情報提示部と、腕に装着するためのバンド部とで構成される表示部と、前記表示部を少なくとも含む装置の状態を検出するセンサと、前記センサの検出結果に基づいてユーザのアクションを判別し、前記時刻情報提示部と前記バンド部の少なくとも一方の表示を変更する表示制御部とを備える。
【０００８】
本開示の第２の側面の情報表示装置の情報表示方法は、少なくとも時刻情報を提示する時刻情報提示部と、腕に装着するためのバンド部とで構成される表示部と、前記表示部を少なくとも含む装置の状態を検出するセンサとを備える情報表示装置の表示制御部が、前記センサの検出結果に基づいてユーザのアクションを判別し、前記時刻情報提示部と前記バンド部の少なくとも一方の表示を変更する。
【０００９】
本開示の第３の側面のプログラムは、コンピュータを、少なくとも時刻情報を提示する時刻情報提示部と、腕に装着するためのバンド部とで構成される表示部の表示を変更する表示制御部として機能させ、前記表示制御部は、前記表示部を少なくとも含む装置の状態を検出するセンサの検出結果に基づいてユーザのアクションを判別し、前記時刻情報提示部と前記バンド部の少なくとも一方の表示を変更する。
【００１０】
本開示の第１乃至第３の側面においては、少なくとも時刻情報を提示する時刻情報提示部と、腕に装着するためのバンド部の少なくとも一方の表示が、前記表示部を少なくとも含む装置の状態を検出するセンサの検出結果に基づいてユーザのアクションが判別されて変更される。
【００１１】
本開示の第４の側面の通信システムは、情報表示装置と端末装置とからなり、前記情報表示装置は、少なくとも時刻情報を提示する時刻情報提示部と、腕に装着するためのバンド部とで構成される表示部と、前記情報表示装置の状態を検出するセンサと、前記センサの検出結果に基づいてユーザのアクションを判別し、前記時刻情報提示部と前記バンド部の少なくとも一方の表示を変更する表示制御部と、前記表示部に表示させるためのデザインデータを前記端末装置から受信する通信部とを備え、前記端末装置は、前記デザインデータを前記通信部に送信する。
【００１２】
本開示の第４の側面においては、情報表示装置では、表示部に表示させるためのデザインデータが受信され、少なくとも時刻情報を提示する時刻情報提示部と、腕に装着するためのバンド部の少なくとも一方の表示が、前記表示部を少なくとも含む装置の状態を検出するセンサの検出結果に基づいてユーザのアクションが判別されて変更される。端末装置では、前記デザインデータが前記情報表示装置の通信部に送信される。
【００１３】
なお、プログラムは、伝送媒体を介して伝送することにより、又は、記録媒体に記録して、提供することができる。
【００１４】
情報表示装置は、独立した装置であっても良いし、１つの装置を構成している内部ブロックであっても良い。
【発明の効果】
【００１５】
本開示の第１乃至第４の側面によれば、フレキシブル性に優れた表示装置を生かした装置を提供することができる。
【００１６】
なお、ここに記載された効果は必ずしも限定されるものではなく、本開示中に記載されたいずれかの効果であってもよい。
【図面の簡単な説明】
【００１７】
【図１】第１の実施の形態に係る時計の外観構成例を示す図である。
【図２】第１の実施の形態に係る腕時計の表示制御に関する制御ブロック図である。
【図３】腕時計の長手方向に垂直な方向の断面図である。
【図４】腕時計の長手方向に沿った方向の断面図である。
【図５】フェイス部の裏面側の構造を示す斜視図である。
【図６】回路配置のその他の例を示す図である。
【図７】回路配置のその他の例を示す図である。
【図８】留め具のその他の例を示す図である。
【図９】留め具のその他の例を示す図である。
【図１０】表示可能な６種類の表示パターンの例を示す図である。
【図１１】バンド部のセグメント構成例を示す図である。
【図１２】表示パターン変更処理を説明するフローチャートである。
【図１３】アクション検出処理を説明する図である。
【図１４】アクション検出処理を説明するフローチャートである。
【図１５】アクション検出処理のその他のアクション例を示す図である。
【図１６】アクション検出処理の表示例を示す図である。
【図１７】電力セーブ処理を説明するフローチャートである。
【図１８】省電力モードにおける表示制御の例を示す図である。
【図１９】省電力切替え処理を説明するフローチャートである。
【図２０】第２の実施の形態に係る腕時計の表示制御に関する制御ブロック図である。
【図２１】表示パターン提供システムの構成例を示す図である。
【図２２】デザインデータ提供処理を説明するフローチャートである。
【図２３】表示部に２次元アレイセグメント領域を有する腕時計の例を示す図である。
【発明を実施するための形態】
【００１８】
以下、本開示を実施するための形態（以下、実施の形態という）について説明する。なお、説明は以下の順序で行う。
１．第１の実施の形態（内部データに基づいて表示パターンを変更する構成例）
２．第２の実施の形態（サーバから取得したデータに基づいて表示パターンを変更する構成例）
【００１９】
＜１．時計の第１の実施の形態＞
＜時計の外観構成例＞
初めに、本開示に係る時計の第１の実施の形態について説明する。
【００２０】
図１は、第１の実施の形態に係る時計の外観構成例を示している。
【００２１】
図１に示される腕時計１は、腕（手首）に装着して使用される時計である。
【００２２】
腕時計１は、例えば、目盛、数字、分針、時針など、時刻情報を表示するための時刻情報提示部である略円形状のフェイス部２１と、腕に装着するためのバンド部（ブレスレット部）２２を含んで構成される。フェイス部２１とバンド部２２は、表示部１１を構成する。
【００２３】
図１では、フェイス部２１に表示されている「６」の数字が時間（６時）を表し、３時の方向の目盛付近に表示された針が分針を表す。したがって、図１で示される腕時計１は、６時１５分の時刻を表している。バンド部２２には、柄模様を表す表示がなされている。
【００２４】
フェイス部２１とバンド部２２は、一体成型されたラバーバンド２４に嵌め込まれている。ラバーバンド２４は、フェイス部２１とバンド部２２が嵌め込まれたときに腕時計１の表面が同一平面となるように、外縁の厚みが厚く成型されている。
【００２５】
ラバーバンド２４の裏面側１２の一方の端部の近傍には、凹部２５が長手方向に沿って複数個形成されており、他方の端部には、バックル２６が形成されている。ラバーバンド２４に形成された複数個の凹部２５のうちの、ユーザの手首の太さに応じた所定の凹部２５に、バックル２６に形成されている凸部２７が挿入されることにより、腕時計１が、ユーザの腕に固定される。
【００２６】
フェイス部２１の側方には、プッシュボタン２８が配置されている。プッシュボタン２８は、ユーザのプッシュ操作を受け付け、ユーザの選択操作を受け付ける選択部として機能する。なお、プッシュボタン２８に代えて、例えば、デジタルリューズを設ける構成とすることも可能である。
【００２７】
以上のように構成される腕時計１では、フェイス部２１とバンド部２２の表面が、いずれも表示部１１で構成されるため、表示部１１の表示を更新することにより、フェイス部２１とバンド部２２の表示内容を変更することができる。これにより、フェイス部２１の時刻情報を更新したり、バンド部２２のバンドデザイン（柄模様情報）を変更したりすることができる。
【００２８】
＜時計の制御ブロック図＞
図２は、腕時計１の表示制御に関する制御ブロック図を示している。
【００２９】
腕時計１は、表示部１１と、それを制御する制御部４１を有する。
【００３０】
表示部１１は、電子ペーパやEPDとも呼ばれる電気泳動型ディスプレイ（Electrophoretic Display）５１で構成され、制御部４１からの制御に基づき、所定の表示を行う。
【００３１】
電気泳動型ディスプレイ５１の構造について簡単に説明する。
【００３２】
電気泳動型ディスプレイ５１は、例えば、マイクロカプセル充填層の上面と下面を電極層で挟み込んだ構造とされており、ユーザに視認される側の電極層は、ITO（インジウム錫オキサイド）やZnOなどの透明電極層で構成されている。
【００３３】
マイクロカプセル充填層には、単一もしくは複数の粒子を含むマイクロカプセルが、透明な溶液内に充填されている。例えば、マイクロカプセル充填層のマイクロカプセル内に白色粒子と黒色粒子の２つの粒子が充填されている場合、表示面側の透明電極層に正の電圧が印加されると、その透明電極層側に、負に帯電されている白色粒子が集まり、白（色）が表示される。反対に、表示面側の透明電極層に負の電圧が印加されると、その透明電極層側に、正に帯電されている黒色粒子が集まり、黒（色）が表示される。このように、電気泳動型ディスプレイ５１では、電極層に印加する電圧を制御することで、白または黒の表示が可能となる。また、印加電圧を複数段階に設定することにより、白色と黒色の中間階調の表示（グレイ表示）も可能となる。
【００３４】
電気泳動型ディスプレイ５１の特徴は、低消費電力であることである。即ち、電気泳動型ディスプレイ５１は、LCD (Liquid Crystal Display)で必要なバックライトが不要である。また、電気泳動型ディスプレイ５１は、表示を切り替えるときのみ電流を流せばよく、表示を保持するために電流を流す必要がない。そのため、電気泳動型ディスプレイ５１は、LCDなどと比較して、極めて低い消費電力で表示が可能である。
【００３５】
また、電気泳動型ディスプレイ５１の他の特徴は、フレキシブル性である。即ち、電気泳動型ディスプレイ５１は、極薄型のフィルム状であり、ある程度自由に形状を変形させることができる。
【００３６】
なお、電気泳動型ディスプレイ５１は、上述したマイクロカプセル方式に限定される必要はない。さらに、電子ペーパの表示方式として知られる電気泳動型以外の他の方式によるものでもよい。即ち、表示部１１のディスプレイとしては、紙の長所とされる視認性や携帯性を保った表示媒体のうち、表示内容を電気的に書き換えることができる電子ペーパであれば方式は限定されない。
【００３７】
制御部４１は、記憶部６１、発振器６２、加速度センサ６３、電源供給部６４、プッシュSW６５、コントローラ６６、及び駆動部６７を有する。
【００３８】
記憶部６１は、例えば、EEPROM(Elect rically and Erasable Programmable Read Only Memory)などの不揮発性のメモリで構成され、各種のプログラムや、制御に必要な各種のデータを記憶する。
【００３９】
記憶部６１は、例えば、フェイス部２１とバンド部２２からなる表示部１１の表示を制御するためのプログラム、発振器６２からのクロック信号に基づく時刻制御のプログラム、加速度センサ６３からのセンサ信号に基づく動作制御のプログラムなどを記憶する。表示部１１の表示を制御するためのプログラムには、図１０を参照して後述する、表示部１１の表示パターンを規定するデザインデータも含まれる。
【００４０】
記憶部６１に記憶されているプログラムやデータは、必要に応じてコントローラ６６に読み出される。また、記憶部６１は、腕時計１に対して着脱可能に構成することができる。あるいはまた、記憶部６１は、コントローラ６６の一部として組み込まれていてもよい。
【００４１】
発振器６２は、例えば、水晶発振子またはセラミック発振子、発振回路などで構成され、時刻情報の基となるクロック信号を生成し、コントローラ６６に供給する。
【００４２】
加速度センサ６３は、X軸、Y軸、Z軸の３軸の加速度を検出するセンサ（ジャイロセンサ）であり、検出結果をコントローラ６６に供給する。
【００４３】
電源供給部６４は、安定化電源７１、バッテリ７２、及び残電圧検出部７３を有し、バッテリ７２から得られる電源電圧を安定化電源７１により一定電圧に制御して、電源を必要とする制御部４１内の各部に供給する。残電圧検出部７３は、バッテリ７２の残電圧を検出し、バッテリ７２の電池容量が一定レベル以下になった場合に、その旨の信号をコントローラ６６に供給する。
【００４４】
プッシュSW（スイッチ）６５は、ユーザによるプッシュボタン２８の操作を検出し、電気信号としてコントローラ６６に出力する。
【００４５】
コントローラ６６は、例えば、マイクロコンピュータ、CPU（Central Processing Unit）などで構成され、記憶部６１から読み出した各種のプログラムに基づいて、表示部１１の表示を制御する処理を実行する。例えば、コントローラ６６は、発振器６２から供給されるクロック信号に基づいて、表示部１１の時刻情報を更新する制御信号を駆動部６７に供給する。また例えば、コントローラ６６は、加速度センサ６３の検出結果に基づいて、腕時計１が所定の状態となったときに、表示部１１の表示を変更する制御信号を駆動部６７に供給する。コントローラ６６の制御による表示部１１の具体的な表示については、後述する。
【００４６】
駆動部６７は、例えば、電気泳動型ディスプレイ５１を駆動する駆動ICにより構成され、コントローラ６６からの制御信号に基づき、電気泳動型ディスプレイ５１を駆動する。電気泳動型ディスプレイ５１は、複数のセグメントに分割されており、駆動部６７は、セグメント単位で制御される。電気泳動型ディスプレイ５１と駆動部６７は、例えば、FPC（Flexible printed circuits）４２で接続されている。
【００４７】
＜断面図＞
図３は、プッシュボタン２８を通り、ラバーバンド２４の長手方向に垂直な方向の腕時計１の断面図を示している。
【００４８】
なお、図３において、図１及び図２と対応する部分については同一の符号を付してある。
【００４９】
電気泳動型ディスプレイ５１は、透明保護シート９１で覆われて、外周のラバーバンド２４と同一平面となるように配設されている。
【００５０】
電気泳動型ディスプレイ５１の下側には、プリント基板９５が配置され、複数のインナーケース９２乃至９４により固定及び保護されている。プリント基板９５には、記憶部６１、発振器６２、コントローラ６６などが搭載されており、電気泳動型ディスプレイ５１とプリント基板９５は、FPC４２により接続されている。
【００５１】
プリント基板９５の裏面側（図中、下側）に設けられたプッシュSW６５は、プッシュボタン２８と接して配置されており、プッシュボタン２８の押下操作が検出可能とされている。
【００５２】
プリント基板９５の裏面側には、加速度センサ６３やバッテリ７２も配置されており、腕時計１の裏面側１２の蓋９６を取り外すことにより、バッテリ７２が交換可能に露出する状態となる。
【００５３】
図４は、腕時計１の主要構造についてのラバーバンド２４の長手方向に沿った方向の断面図である。
【００５４】
フェイス部２１とバンド部２２に形成された電気泳動型ディスプレイ５１は、バンド部２２の一端でFPC４２と接続されている。バンド部２２と略同一幅の帯状に形成されたFPC４２は、バンド部２２との接続部から折り返されて、フェイス部２１裏面側に配置されたプリント基板９５と接続されている。FPC４２は、プリント基板９５の上面側で接続され、プリント基板９５の下面側にバッテリ７２が配置されている。
【００５５】
図５は、蓋９６を取り外して、フェイス部２１の裏面側１２の構造を示す斜視図である。
【００５６】
フェイス部２１の裏側にプリント基板９５を含む回路が集約されており、その回路部分の外周が、防水機能を有するパッキン９７で囲まれている。パッキン９７の材質は、例えば、シリコンゴムなどで構成される。このように、腕時計１は、回路部分をパッキン９７の内部に閉じ込めることにより、フレキシブル性と防水性を備える。
【００５７】
＜回路配置のその他の例＞
本実施の形態では、上述したように、制御部４１を構成する電気回路が、いわゆる盤面部であるフェイス部２１下部に集約された配置を採用するが、例えば、図６に示されるように、制御部４１を構成する電気回路をバックル部２６に配置した構成を採用することもできる。この場合には、フェイス部２１の厚みを薄くすることができるとともに、電気泳動型ディスプレイ５１とプリント基板９５とを接続するFPC４２を短く（小さく）することができ、折り返しもないため、FPC４２の損傷を防止することができる。
【００５８】
また、図７に示されるように、フェイス部２１に電気回路がないことにより、フェイス部２１もバンド部２２と同様にフレキシブルに形成することができる。
【００５９】
なお、制御部４１を構成する全ての電気回路をバックル部２６に配置してもよいが、例えば、通信アンテナやセンサ、バッテリなどの一部の部品についてはバンド部２２に配置してもよい。
【００６０】
＜留め具のその他の例＞
図８は、腕時計１を腕に固定するための留め具のその他の例を示している。
【００６１】
図１では、バックル２６に設けられた凸部２７が、ラバーバンド２４に設けられた複数の凹部２５のうちのいずれか一つに挿入されることにより、腕時計１が腕に固定（装着）されるベルトタイプの構造を示した。
【００６２】
しかしながら、留め具は、例えば、図８に示されるように、金属性のブレスレットの時計で用いられるようなバックル１０１を採用することも可能である。
【００６３】
なお、図８に示した構造は、バックル１０１が表示部１１に含まれない構造の例であるが、図９に示されるように、腕時計１が腕に固定されたときに、バックル１０１が表示部１１で隠れるように、バンド部２２をバックル１０１上面まで延長することで、バックル１０１上面も表示部１１となる構成とすることも可能である。
【００６４】
＜表示パターンのパターン例＞
腕時計１は、記憶部６１に記憶されている複数種類のデザインデータのなかから、所望のデザインデータを選択することにより、ユーザが自由に表示部１１の表示パターンを変更することができる構成とされている。
【００６５】
図１０は、記憶部６１に記憶されているデザインデータに基づいて表示部１１で表示可能な６種類の表示パターンの例を示している。
【００６６】
なお、図１０では符号が省略されている。また、図１０では、フェイス部２１とバンド部２２を囲むように外周に形成されたラバーバンド２４の色が黒色である場合の例を示している。
【００６７】
図１０のA及び図１０のBは、バンド部２２がワニ革調のデザインの表示パターンの例である。
【００６８】
図１０のCは、バンド部２２がステッチ調の革バンドを模したデザインの表示パターンの例である。
【００６９】
図１０のDは、バンド部２２が金属製のブレスレットを模したデザインの表示パターンの例である。
【００７０】
図１０のE及び図１０のFは、バンド部２２が無地の革バンドを模したデザインの表示パターンの例である。
【００７１】
図１０のA乃至図１０のFに示した表示パターンはほんの一例であり、記憶部６１には、例えば、図１０のA乃至図１０のFに示した６種類の表示パターンを含む３６種類の表示パターンを表示可能とするデザインデータが記憶されている。
【００７２】
図１１は、図１０のA乃至図１０のFに示した表示パターンを実現する、バンド部２２のセグメント構成例を示す図である。
【００７３】
バンド部２２では、表示のオンオフを制御する電気泳動型ディスプレイ５１の制御単位であるセグメント領域１４１が、図１１に示されるように分割されている。図１１において、実線で囲まれた領域の一つ一つがセグメント領域１４１を表す。図示は省略するが、フェイス部２１についても同様に、目盛、数字、分針の表示位置に対応してセグメント領域１４１が分割されている。本実施の形態においては、電気泳動型ディスプレイ５１のセグメント領域１４１の分割数は、例えば、８９個である。
【００７４】
記憶部６１に記憶されている１つのデザインデータは、例えば、電気泳動型ディスプレイ５１の８９個のセグメント領域１４１それぞれのオンまたはオフを指定したデータである。
【００７５】
＜表示パターン変更処理＞
図１２は、表示部１１の表示パターンを変更する場合の表示パターン変更処理のフローチャートである。
【００７６】
表示パターン変更処理では、初めに、ステップＳ１において、コントローラ６６は、プッシュSW６５から供給される信号に基づいて、表示パターンを変更する表示パターン変更モードを開始する開始操作がユーザによって行われたかを判定する。
【００７７】
例えば、腕時計１では、プッシュボタン２８を一定期間（例えば、８秒）長押しする操作を行うことで、表示パターン変更モードが開始される。ステップＳ１では、表示パターン変更モードを開始する開始操作がユーザによって行われたと判定されるまで、ステップＳ１の処理が繰り返される。
【００７８】
そして、ステップＳ１で、表示パターン変更モードを開始する開始操作がユーザによって行われたと判定された場合、処理はステップＳ２に進み、コントローラ６６は、表示パターン変更モードを開始する。コントローラ６６は、表示パターン変更モードが開始されたことをユーザが認識できるような表示（例えば、表示パターンの白黒反転の表示）を行ってもよい。
【００７９】
ステップＳ３において、コントローラ６６は、プッシュSW６５から供給される信号に基づいて、表示パターンを変更する操作がユーザによって行われたかを判定する。
【００８０】
例えば、腕時計１では、プッシュボタン２８の押下操作が表示パターンを変更する操作として規定されているとすると、ステップＳ３では、プッシュボタン２８の押下操作が行われたか否かが検出される。ステップＳ３では、表示パターンを変更する操作がユーザによって行われたと判定されるまで、ステップＳ３の処理が繰り返される。
【００８１】
ステップＳ３で、表示パターンを変更する操作が行われたと判定された場合、処理はステップＳ４に進み、コントローラ６６は、表示部１１の表示パターンを変更する。具体的には、コントローラ６６は、表示部１１において現在表示されている表示パターンと異なる表示パターンのデザインデータを記憶部６１から取得し、取得したデザインデータに基づいて電気泳動型ディスプレイ５１を駆動する制御信号を駆動部６７に供給する。駆動部６７は、新たな表示パターンに対応する制御信号に基づいて電気泳動型ディスプレイ５１の各セグメント領域１４１を駆動する。
【００８２】
ステップＳ５において、コントローラ６６は、表示パターンを確定する操作がユーザによって行われたかを判定する。
【００８３】
本実施の形態では、例えば、プッシュボタン２８を一定期間（例えば、８秒）長押しする操作が、表示パターンを確定する操作とされている。この場合、ステップＳ５では、プッシュボタン２８の一定期間の長押し操作が行われたか否かが検出される。
【００８４】
ステップＳ５で、表示パターンを確定する操作がユーザによって行われていないと判定された場合、処理はステップＳ３に戻り、上述したステップＳ３乃至Ｓ５の処理が繰り返される。すなわち、表示パターンを変更するユーザ操作に応じて、新たな表示パターンを表示部１１に表示させる処理が、表示パターンが確定されるまで繰り返される。
【００８５】
一方、ステップＳ５で、表示パターンを確定する操作がユーザによって行われたと判定された場合、処理はステップＳ６に進み、コントローラ６６は、表示パターンを変更する表示パターン変更モードを終了して、表示パターン変更処理を終了する。
【００８６】
腕時計１において、以上の表示パターン変更処理が実行されることにより、ユーザは、複数の表示パターンのなかから、所望の表示パターンを選択して表示させることができる。すなわち、ユーザは、場所、用途、気分等に応じて、フェイス部２１のデザインの切替えのみならず、バンド部２２のデザインも切り替えて楽しむことができる。
【００８７】
なお、表示パターン変更モードを開始する開始操作や、表示パターンを変更する操作は、上述した例に限られない。例えば、現在時刻を表示している時刻表示状態においてプッシュボタン２８を押下すると、時刻表示状態の表示パターンを変更することができ、現在時刻を表示していないスタンバイ状態においてプッシュボタン２８を押下すると、スタンバイ状態の表示パターンを変更することができるような操作としてもよい。
【００８８】
また例えば、プッシュボタン２８の代わりに、回転駆動を行うデジタルリューズが設けられている場合には、デジタルリューズを外側に引出すことで表示パターン変更モードに入り、デジタルリューズを回すと表示パターンが変更されるような操作とすることができる。
【００８９】
＜アクション検出処理＞
腕時計１は、加速度センサ６３を内蔵しており、腕時計１の動きを加速度センサ６３で検出し、検出された腕時計１の動きに応じて表示部１１の表示を変更するアクション検出モードを備える。
【００９０】
アクション検出モードが実行された場合、例えば、腕時計１は、図１３に示されるように、ユーザが現在時刻を確認するため腕時計１を見たときだけ、現在時刻に対応する表示を行い、ユーザが腕時計１を見ていないときは、表示部１１では何も表示しないように、表示制御を行うことができる。ユーザが現在時刻を確認する場合には、腕時計１が地面に対してほぼ水平な位置になる。そこで、腕時計１は、加速度センサ６３のセンサ信号に基づいて腕時計１の水平状態を検出することで、ユーザが腕時計１を見ている状態であるか否かを判定し、図１３で説明した表示制御を行う。
【００９１】
図１４は、アクション検出モードが実行された場合にコントローラ６６が行うアクション検出処理のフローチャートである。
【００９２】
初めに、ステップＳ１１において、コントローラ６６は、ユーザが腕時計１を見る動作を行ったかを判定する。すなわち、コントローラ６６は、加速度センサ６３から供給されるセンサ信号が、腕時計１が地面に対して水平な状態を表す所定の範囲内の角度を示しているか否かを判定し、水平な状態を表す所定の範囲内の角度を示している場合、ユーザが腕時計１を見る動作を行ったと判定する。
【００９３】
ステップＳ１１で、ユーザが腕時計１を見る動作を行ったと判定された場合、処理はステップＳ１２に進み、コントローラ６６は、発振器６２からのクロック信号に基づいて現在時刻を算出し、算出された現在時刻を表示するようにフェイス部２１を表示制御する。また、コントローラ６６は、バンド部２２についても、表示パターン変更処理でユーザが選択した表示パターンとなるように表示制御する。その結果、腕時計１の表示部１１は、例えば、図１に示したような表示となる。
【００９４】
一方、ステップＳ１１で、ユーザが腕時計１を見る動作を行っていないと判定された場合、処理はステップＳ１３に進み、コントローラ６６は、表示部１１が非表示となるように表示制御する。例えば、コントローラ６６は、フェイス部２１とバンド部２２の全ての領域が白または黒となるように電気泳動型ディスプレイ５１を駆動制御させる。
【００９５】
ステップＳ１２またはステップＳ１３の処理後、処理は再びステップＳ１１に戻り、上述した処理が実行される。
【００９６】
なお、次のステップＳ１１の判定結果が、前回のステップＳ１１の判定結果と同じである場合には、ステップＳ１２及びＳ１３の処理は省略することができる。これは、電気泳動型ディスプレイ５１が、表示を切り替えるときのみ電流を流せばよく、表示を保持するために電流を流す必要がないという特徴を有するためである。
【００９７】
アクション検出モードが解除されたとき、図１４のアクション検出処理は終了する。
【００９８】
以上のように、加速度センサ６３のセンサ信号に基づいて、フェイス部２１とバンド部２２で構成される表示部１１の表示を変更することができる。
【００９９】
なお、勿論、腕時計１は、アクション検出モードの他に、通常時計モードとして、一般的な腕時計のように、常時、現在時刻を表示する動作を実行することもできる。
【０１００】
上述した例では、ユーザが腕時計１を見る動作を行っていない場合には、フェイス部２１とバンド部２２の全ての領域を非表示としたが、バンド部２２については、設定されている表示パターンを常時表示するようにしてもよい。電気泳動型ディスプレイ５１では、表示の切替え時のみ電力を必要とするので、バンド部２２を、常時、パターン表示するようにしても、消費電力には影響を及ぼさない。
【０１０１】
第２の実施の形態として後述するように、腕時計１が、加速度センサ６３と異なる種類のセンサ２０１も備えている場合には、ステップＳ１１のユーザが腕時計１を見る動作を行ったか否かの判定を、加速度センサ６３以外のセンサ２０１の検出結果に基づいて行ってもよい。例えば、センサ２０１が明るさセンサである場合には、明るさセンサによって文字盤上方の明るさを検出し、所定以上の明るさが検出された場合に、ユーザが腕時計１を見る動作を行ったと判定することができる。
【０１０２】
＜アクション検出処理のその他の例＞
コントローラ６６は、加速度センサ６３から供給されるセンサ信号に基づいて、歩数や移動スピードなどを検出し、所定の歩数やスピードが検出された場合、フェイス部２１とバンド部２２の少なくとも一方の表示を変更する表示制御などを行ってもよい。
【０１０３】
また、コントローラ６６は、日にちが変わるごと、曜日ごと、昼と夜、一定時間経過ごとなど、時間経過に応じて表示部１１の表示パターンを変更する表示制御なども可能である。本実施の形態の腕時計１では、フェイス部２１だけでなく、バンド部２２の表示も変更することができるので、いままでにない多様な表示が可能となる。
【０１０４】
＜アクション検出処理のその他のアクション例＞
図１４を参照して説明したアクション検出処理では、ユーザが腕時計１を見る動作を加速度センサ６３のセンサ出力から判別したが、コントローラ６６は、ユーザが行ったその他のアクションをセンサ出力から判別し、判別結果に応じて表示部１１を変更することもできる。
【０１０５】
図１５は、コントローラ６６が判別可能なその他のアクションの例を示している。
【０１０６】
例えば、コントローラ６６は、図１５のAに示されるように、腕時計１の上面（表面）、または、右側、左側、手前側、若しくは奥側の側面を叩く（タップする）アクションを判別することができる。
【０１０７】
例えば、コントローラ６６は、図１５のBに示されるように、右方向、左方向、手前方向、若しくは奥方向に腕時計１をひねるアクションを判別することができる。
【０１０８】
例えば、コントローラ６６は、図１５のCに示されるように、腕時計１を振る（シェイクする）アクションを判別することができる。
【０１０９】
このような各種のアクションは、様々な表示部１１の表示と連携させることができる。
【０１１０】
例えば、腕時計１を２回短期間に振るアクションが検出されたとき、コントローラ６６は、非表示となっている表示部１１に、現在時刻を表示させる制御を行うことができる。このようにした場合、腕時計１を卓上に置いているときに、振るアクションをするだけで片手だけで時刻を確認することができる。
【０１１１】
また例えば、表示部１１の柄（表示パターン）が変わる様子を他のユーザにプレゼンテーションする場合などに、腕時計１を外方向にひねると次の柄に変更し、内方向にひねると前の柄に戻るような表示制御を行うことができる。
【０１１２】
時刻の設定操作や、図１２で説明した表示パターン変更処理で検出するユーザの操作として、上述した各種のアクションを用いることもできる。各種の設定操作や表示変更操作を全て、アクション検出により行うようにした場合、プッシュボタン２８などのハードウエアボタンをなくすことも可能となる。アクション検出に連携させた表示を行うことにより、快適で直感的な操作を実現することができる。
【０１１３】
本実施の形態の表示部１１は、図１１を参照して説明したように、３６種類の表示パターンに限定したセグメント領域１４１とされているが、仮に、表示部１１が任意の柄（表示画像）を表示可能である場合には、さらに図１６に示すようなアクションに応じた表示も可能である。
【０１１４】
図１６のAは、魚が泳いている画像（柄）の表示例である。例えば、ユーザが、腕時計１をシェイクすると、表示部１１は、水面が揺らめいて魚が素早く動くような表示を行う。また例えば、ユーザが、腕時計１の右側をタップすると、表示部１１は、魚がタップ位置と反対の左側に逃げるような表示を行う。
【０１１５】
図１６のBは、スライム状のキャラクタの画像（柄）の表示例である。例えば、ユーザが、腕時計１をシェイクすると、表示部１１は、スライム状のキャラクタが震えるような表示を行う。また例えば、ユーザが、腕時計１の右側をタップすると、表示部１１は、スライム状のキャラクタの右側部分が歪むような表示を行う。
【０１１６】
このように、表示部１１が任意の柄を表示可能である場合には、アクションに連動させて柄を変化させる楽しみ方を提供することも可能である。
【０１１７】
＜電力セーブ処理＞
腕時計１は、消費電力を極力抑えてバッテリ７２による動作時間を長く持たせるために、電力セーブ処理を実行する。図２を参照して説明した腕時計１の構成のなかで、待機電力が比較的大きいものは、加速度センサ６３とコントローラ６６である。
【０１１８】
そこで、加速度センサ６３は、加速度を検出する時間間隔であるサンプリングレートが、例えば、低サンプリングレート、高サンプリングレート、など複数選択できるものを採用し、消費電力を抑制するため、低サンプリングレートで動作するように設定されている。
【０１１９】
一方、コントローラ６６は、動作モードとして、全ての機能が実行可能に起動しているアクティブモードと、外部からの信号入力のみを検知可能なローパワーモードとを備えており、通常は、ローパワーモードによる待機状態とされている。そして、プッシュボタン２８のボタン操作や、加速度センサ６３からのセンサ出力が検知された場合に、コントローラ６６の動作モードがアクティブモードに変更される。
【０１２０】
図１７のフローチャートを参照して、腕時計１による電力セーブ処理を説明する。
【０１２１】
なお、図１７の電力セーブ処理を開始する前は、初期状態として、コントローラ６６は、ローパワーモードに設定されているものとする。
【０１２２】
初めに、ステップＳ２１において、コントローラ６６は、プッシュボタン２８のボタン操作、または、加速度センサ６３からのセンサ出力を検知したかを判定する。
【０１２３】
ステップＳ２１で、ボタン操作、または、センサ出力を検知していないと判定された場合、処理はステップＳ２２に進み、コントローラ６６は、ローパワーモードを継続して実行する。
【０１２４】
一方、ステップＳ２１で、ボタン操作、または、センサ出力を検知したと判定された場合、処理はステップＳ２３に進み、コントローラ６６は、動作モードをアクティブモードに変更する。
【０１２５】
そして、ステップＳ２４において、コントローラ６６は、検知結果に応じて動作を制御する。例えば、ステップＳ２１において、パターン変更モードを開始するボタン操作、具体的にはプッシュボタン２８を一定期間長押しする操作が検知された場合には、図１２のステップＳ２として説明したように、コントローラ６６は、表示パターン変更モードを開始する。また例えば、ステップＳ２１において、ユーザが腕時計１を見る動作を行ったことを示すセンサ出力が検知された場合には、コントローラ６６は、現在時刻を表示するように表示部１１の表示パターンを変更する。
【０１２６】
検知結果に応じた動作の制御が終了すると、処理はステップＳ２５に進み、コントローラ６６は、動作モードをローパワーモードに変更する。
【０１２７】
ステップＳ２２、または、ステップＳ２５の後は、処理が再び、ステップＳ２１に戻され、上述した処理が繰り返される。
【０１２８】
腕時計１は、以上の電力セーブ処理を実行することにより、加速度センサ６３については、常時、低サンプリングレートで動作し、コントローラ６６は、通常は、外部からの信号入力のみを検知可能なローパワーモードによる待機状態とするとで、消費電力を抑制することができる。
【０１２９】
＜省電力切替え処理＞
コントローラ６６は、バッテリ７２の電池容量（残電圧）が一定レベル以下になった場合に、その旨の信号を残電圧検出部７３から受信することで、表示部１１の表示を、通常電力モードから、より省電力な表示を行う省電力モードに切り替える。
【０１３０】
図１８は、省電力モードにおける表示制御の例を示している。
【０１３１】
なお、図１８は、図面を見やすくするため、分針の表示が５分刻みで更新される例を示している。
【０１３２】
時刻が６時１５分から６時２０分になったとき、コントローラ６６は、通常電力モードでは、１５分の分針をオフ（非表示）にして、２０分の分針をオン（表示）にする表示制御を行う。
【０１３３】
これに対して、省電力モードでは、コントローラ６６は、表示状態１８１のように、１５分の分針をオフにする制御を行わずに、１５分の分針をオンにしたまま、２０分の分針をオンにする表示制御を行う。
【０１３４】
時刻が６時２０分から６時２５分になったときには、コントローラ６６は、表示状態１８２のように、１５分と２０分の分針をオンにしたまま、２５分の分針だけをオンにする表示制御を行う。
【０１３５】
同様に、時刻が６時２５分から６時３０分になったときには、コントローラ６６は、表示状態１８３のように、３０分の分針だけをオンにする表示制御を行う。
【０１３６】
このように、省電力モードでは、コントローラ６６は、現在時刻を表示するのに必要なセグメント領域１４１のみを表示させ（反転駆動させ）、前の時刻の表示に用いたセグメント領域１４１を消去しない（反転駆動しない）。これにより、省電力モードでは、駆動するセグメント領域１４１の個数が通常電力モードよりも少なくなるため、省電力な表示となる。
【０１３７】
また、このように、フェイス部２１において分針が同時に複数表示されるような通常電力モードと異なる表示がされることにより、ユーザはバッテリ７２の電池容量が一定レベル以下になったことを把握することができる。
【０１３８】
図１９は、バッテリ７２の電池容量に応じて表示部１１の表示方法を切り替える省電力切替え処理のフローチャートである。
【０１３９】
初めに、ステップＳ３１において、コントローラ６６は、残電圧検出部７３から供給される残電圧検出信号に基づいて、バッテリ７２の電池容量が所定のレベル以下であるかを判定する。
【０１４０】
ステップＳ３１で、バッテリ７２の電池容量が所定のレベル以下であると判定された場合、処理はステップＳ３２に進み、コントローラ６６は、省電力モードによる表示制御を行う。例えば、コントローラ６６は、図１８を参照して説明したような表示制御を行う。また例えば、省電力モードによる表示制御として、コントローラ６６は、電気泳動型ディスプレイ５１の駆動電圧を、通常電力モードのときよりも低い低駆動電圧で制御し、低コントラストによる表示制御を行ってもよい。あるいはまた、省電力モードによる表示制御は、時刻表示の書き換え頻度を、通常電力モードのときよりも少なくした表示制御とすることもできる。
【０１４１】
一方、ステップＳ３１で、バッテリ７２の電池容量が所定のレベル以下ではないと判定された場合、処理はステップＳ３３に進み、コントローラ６６は、通常電力モードによる表示制御を行う。
【０１４２】
ステップＳ３２またはステップＳ３３の処理後、処理は再びステップＳ３１に戻り、上述した処理が実行される。
【０１４３】
以上のように、腕時計１は、バッテリ７２の電池容量が一定レベル以下である場合に、電気泳動型ディスプレイ５１の駆動制御の特徴を生かした省電力な表示を行い、かつ、低電圧状態であることをユーザに把握させる表示を行うことができる。
【０１４４】
なお、通常電力モード及び省電力モードの表示は、上述した例以外のものでもよい。
【０１４５】
例えば、腕時計１は、通常電力モードでは、上述した通常時計モードの表示を行い、省電力モードでは、上述したアクション検出モードによる表示を行ってもよい。
【０１４６】
低電圧状態であることをユーザに把握させる省電力モードの表示制御として、例えば、分針が、現在時刻に対応する分針と、その前に表示した１本以上の分針とを合わせた複数本の分針を表示させる、残像のような表示としてもよい。
【０１４７】
＜２．時計の第２の実施の形態＞
次に、本開示に係る時計の第２の実施の形態について説明する。
【０１４８】
図２０は、第２の実施の形態における腕時計１の表示制御に関する制御ブロック図を示している。
【０１４９】
図２０において、第１の実施の形態と対応する部分については同一の符号を付してあり、その説明は適宜省略する。
【０１５０】
第２の実施の形態では、制御部４１内に、加速度センサ６３と異なる種類のセンサ２０１と、通信部２０２が、新たに設けられている点が、第１の実施の形態と異なる。
【０１５１】
腕時計１は、加速度センサ６３と異なる種類のセンサ２０１を備えることにより、加速度センサ６３と異なるイベントを検出して、表示部１１の表示パターンを変更することができる。
【０１５２】
例えば、センサ２０１が、温度を検出する温度センサである場合、コントローラ６６は、検出された温度に応じた特定の柄模様を表示するなど、表示部１１の表示パターンを変更させる。
【０１５３】
例えば、センサ２０１が、湿度を検出する湿度センサである場合、コントローラ６６は、検出された湿度に応じた特定の柄模様を表示するなど、表示部１１の表示パターンを変更させる。
【０１５４】
例えば、センサ２０１が、ユーザの腕の脈動を検出する圧力センサである場合、コントローラ６６は、検出された心拍数に応じた特定の柄模様を表示するなど、表示部１１の表示パターンを変更させる。拍数に応じた特定の柄模様は、ユーザに注意を促す表示とすることができる。
【０１５５】
例えば、センサ２０１が、周辺の明るさを検出する明るさセンサである場合、コントローラ６６は、検出された明度に応じた特定の柄模様を表示するなど、表示部１１の表示パターンを変更させる。また、明度に応じて、表示部１１の階調を変更してもよい。
【０１５６】
例えば、センサ２０１が、周辺のにおいを検出するにおいセンサである場合、コントローラ６６は、検出されたにおいに応じた特定の柄模様を表示するなど、表示部１１の表示パターンを変更させる。
【０１５７】
例えば、センサ２０１が、周辺を撮像する撮像センサである場合、コントローラ６６は、撮像された画像で画像認識を行い、ユーザの視線方向を検出する。そして、コントローラ６６は、検出された視線方向に応じた特定の柄模様を表示するなど、表示部１１の表示パターンを変更させる。例えば、コントローラ６６は、ユーザの視線が、腕時計１に向けられたときに、表示部１１の表示パターンを変更させる。視線方向を検出する検出対象は、腕時計１を装着しているユーザではなく、周辺にいる他のユーザとしてもよい。
【０１５８】
例えば、センサ２０１が、ユーザの接触（タッチ）を検出するタッチセンサである場合、コントローラ６６は、ユーザが腕時計１に対して行った、タッチ操作、撫でる操作、なぞる操作などを検出し、検出された操作に応じて、表示部１１の表示パターンを変更させる。センサ２０１がタッチセンサである場合、そのタッチセンサは、表示部１１の上面に積層してもよいし、プッシュボタン２８のように、腕時計１の側面部分など、表示部１１とは異なる位置に配置してもよい。
【０１５９】
例えば、センサ２０１が、GPS (Global Positioning System)などの、腕時計１の場所を検出することができる位置検出センサである場合、コントローラ６６は、腕時計１を装着したユーザの位置に応じて、表示部１１の表示パターンを変更させる。
【０１６０】
また、コントローラ６６が、通信部２０２を介して、他のユーザ（例えば、友人）が装着している腕時計１の位置情報を取得できる場合には、他のユーザの位置に応じて、表示部１１の表示パターンを変更させる。これにより、友人が自分の近くにいるような場合に、表示部１１の表示パターンを変更することで、ユーザに知らせることができる。
【０１６１】
さらにまた、コントローラ６６が、通信部２０２を介して、腕時計やバッグなど、他のユーザ（例えば、友人）が装着しているアイテム（物品）を識別するアイテム情報を、位置情報とともに取得できる場合には、取得したアイテム情報と位置情報に応じて、表示部１１の表示パターンを変更させる。これにより、自分と同じアイテムを持つ人が近くにいるような場合に、表示部１１の表示パターンを変更することで、ユーザに知らせることができる。
【０１６２】
センサ２０１は、上述した温度センサ、湿度センサ、圧力センサ、明るさセンサ、においセンサ、撮像センサ、タッチセンサ、位置検出センサなどの、いずれか１つとすることができる。また、制御部４１は、加速度センサ６３以外に、上述したセンサ２０１を複数備えてもよい。
【０１６３】
通信部２０２は、スマートフォンなどの他の通信装置との間で、例えば、NFC(Near Field Communication)通信、赤外線通信、Bluetooth（登録商標）などによる無線通信を行う通信デバイスである。この場合、通信部２０２は、他の通信装置と無線通信を行い、他の通信装置から提供されるデータを取得して、コントローラ６６に供給する。
【０１６４】
また、通信部２０２は、インターネット、LAN(Local Area Network)、WAN(Wide Area Network)などのネットワークに接続する通信デバイスであってもよい。この場合、通信部２０２は、ネットワークを介してサーバ装置などの他の通信装置に接続し、他の通信装置から提供されるデータを取得して、コントローラ６６に供給する。すなわち、本実施の形態において、通信部２０１が行う無線通信の方式は限定されず、任意の方式を採用することができる。
【０１６５】
例えば、通信部２０２は、他の通信装置から、表示部１１の表示パターンに対応するデザインデータを受信し、受信したデザインデータをコントローラ６６に供給する。コントローラ６６は、通信部２０２から取得したデザインデータを記憶部６１に記憶させる。
【０１６６】
従って、腕時計１が通信機能を有している場合には、ユーザは、予め記憶部６１に記憶されているデザインデータとは異なるデザインデータを腕時計１に取得（ダウンロード）することができる。これにより、腕時計１の表示パターンを、予め用意された表示パターンとは異なる表示パターンに着せ替えることが可能となる。
【０１６７】
＜表示パターン提供システムの構成例＞
例えば、クリエイタが腕時計１に表示可能な表示パターンに対応するデザインデータを作成して提供し、腕時計１のユーザが、自身の腕時計１に表示させたい所望の表示パターンを購入するシステムが構築可能である。
【０１６８】
図２１は、クリエイタとユーザとの間でデザインデータの授受を可能とするデザイン提供サービスを実現する表示パターン提供システム（通信システム）の構成例を示している。
【０１６９】
表示パターン提供システムは、クリエイタが操作する端末装置３０１、クリエイタがユーザに提供する表示パターンのデザインデータが記憶されるサーバ３０２、及び、ユーザがデザインデータをダウンロードする端末装置３０３を少なくとも含んで構成される。表示パターン提供システムでは、実際には、多数のクリエイタやユーザが、自身の端末装置を使用してサーバ３０２にアクセスすることが可能であるが、説明を簡単にするため、一人のクリエイタとユーザについて説明する。
【０１７０】
端末装置３０１及び３０３のそれぞれは、例えば、パーソナルコンピュータ（PC）、ノートPC、タブレット、スマートフォンなどで構成され、少なくともネットワーク通信機能を有する。以下では、クリエイタの端末装置３０１をクリエイタ端末３０１と称し、ユーザの端末装置３０３をユーザ端末３０３と称する。
【０１７１】
クリエイタ端末３０１、サーバ３０２、及び、ユーザ端末３０３は、インターネット、LAN(Local Area Network)、WAN(Wide Area Network)などのネットワーク３０４を介して接続されている。
【０１７２】
サーバ３０２は、クリエイタによりアップロードされたデザインデータを記憶するとともに、ユーザがサーバ３０２の所定のアドレス（URL）にアクセスしてきたときに、多数のクリエイタにより提供されたデザインデータをWeb上でユーザに提供する。換言すれば、サーバ３０２によって、腕時計１の表示パターンに対応するデザインデータを提供するネットショップが実現される。
【０１７３】
図２２のフローチャートを参照して、図２１の表示パターン提供システムで実行されるデザインデータ提供処理について説明する。
【０１７４】
なお、図２２の説明では、ユーザ端末３０３がスマートフォンであり、ユーザ端末３０３と腕時計１とは、NFC通信により無線通信を行うものとして説明する。
【０１７５】
初めに、クリエイタが腕時計１で表示可能なデザインデータを作成する。そして、ステップＳ６１において、クリエイタ端末３０１は、クリエイタの操作に応じて、作成された腕時計１向けのデザインデータをサーバ３０２にアップロード（送信）する。
【０１７６】
ステップＳ６２において、サーバ３０２は、クリエイタ端末３０１から送信されてきたデザインデータを受信し、受信したデザインデータを内部の記憶部に記憶する。
【０１７７】
ステップＳ６３において、ユーザ端末３０３は、ユーザの操作に応じて、ブラウザなどからサーバ３０２の所定のアドレスにアクセスすることで、多数のクリエイタによって作成された腕時計１向けのデザインデータの閲覧及び購入が可能なサイト（ネットショップ）にアクセスする。
【０１７８】
ステップＳ６４において、サーバ３０２は、ユーザ端末３０３のブラウザからの要求に応じて、多数のクリエイタによって作成された腕時計１向けの表示パターンを一覧表示させるウェブページをユーザ端末３０３に送信し、ユーザ端末３０３のディスプレイにデザインデータの一覧を表示させる。
【０１７９】
ユーザは、デザインデータの一覧を見て、所望のデザインデータを購入する操作を行うと、ステップＳ６５において、ユーザ端末３０３からサーバ３０２へ、購入操作を行ったデザインデータの購入指示が送信される。
【０１８０】
ステップＳ６６において、サーバ３０２は、ユーザ端末３０３からのデザインデータの購入指示を受信し、指定されたデザインデータのユーザ端末３０３への送信を行う。ユーザ端末３０３は、サーバ３０２から送信されてきたデザインデータを受信し、内部の記憶部に記憶する。
【０１８１】
さらにステップＳ６７において、サーバ３０２は、購入されたデザインデータをアップロードしたクリエイタ端末３０１へ、クリエイタのデザインデータが購入されたことを表す購入通知を送信する。
【０１８２】
サーバ３０２は、デザインデータの購入通知をクリエイタ端末３０１へ送信する際、例えば、ユーザのログイン情報や登録情報などに基づいて、ユーザが男性であるかまたは女性であるか、ユーザの年代（１０代、２０代など）など、どのようなユーザがクリエイタのデザインデータを購入したかを表す購入者情報を送信することができる。
【０１８３】
また、サーバ３０２が、ユーザ端末３０３の位置情報などを取得できる場合には、クリエイタのデザインデータがどこでダウンロードされたかを示す位置情報などもクリエイタに提供することができる。
【０１８４】
ユーザは、ダウンロードしたデザインデータの表示パターンを表示させたい腕時計１をユーザ端末３０３に近接させる動作を行う。ユーザ端末３０３は、ステップＳ６８において、腕時計１が近接されたか否かを判定し、近接されたと判定されるまで、ステップＳ６８の処理を繰り返す。
【０１８５】
そして、ステップＳ６８で、腕時計１が近接されたと判定された場合、処理はステップＳ６９に進み、ユーザ端末３０３は、無線通信により、デザインデータを腕時計１に送信する。
【０１８６】
ステップＳ７０において、腕時計１は、ユーザ端末３０３から無線通信により送信されてきたデザインデータを受信し、記憶部６１に記憶させる。
【０１８７】
以上の処理により、新たなデザインデータが腕時計１の記憶部６１に記憶される。そして、上述した表示パターン変更処理を実行することにより、取得した新たなデザインデータに基づく表示パターンを表示部１１に表示させることができる。
【０１８８】
なお、この例では、クリエイタのデザインデータをユーザが購入するものとして説明したが、ユーザは無償で取得、利用できるシステムとしてもよい。また、クリエイタがデザインしたデザインデータを取得、利用する他、腕時計１のユーザ自身で表示パターンをデザインし、表示パターンを自由に変更してもよい。この場合、腕時計１のユーザ自身が、ユーザ端末３０３に搭載されたアプリケーション等を用いて表示パターンをデザインし、そのデザインデータが、例えば無線通信により、腕時計１に送信される。
【０１８９】
＜デザインデータに対応する表示パターン以外の情報を表示する例＞
表示部１１の電気泳動型ディスプレイ５１は、図１１を参照して説明したように、予め決定した表示パターンに対応するように分割された複数のセグメント領域１４１で構成されている。
【０１９０】
しかしながら、電気泳動型ディスプレイ５１は、表示領域全体を２次元アレイ状に分割した複数のセグメント領域で構成し、分割された各セグメント領域をTFT(Thin Film Transistor)により個別にオンオフ制御する構成とすることも可能である。電気泳動型ディスプレイ５１を、このようなアクティブマトリックス制御が可能な２次元アレイ構成とした場合、表示部１１で表示可能なパターンの種類を多くすることができる。
【０１９１】
あるいはまた、表示部１１のうちの一部の表示領域、例えば、バンド部２２の一部の領域のみを、アクティブマトリックス制御が可能な２次元アレイセグメント領域としてもよい。
【０１９２】
図２３は、表示部１１のうちのバンド部２２の一部の領域を、２次元アレイセグメント領域３５１とした腕時計１の例を示している。
【０１９３】
例えば、センサ２０１が温度を検出する温度センサである場合の例として、２次元アレイセグメント領域３５１には、センサ２０１で検出された温度（２６℃）が表示されている。
【０１９４】
また、通信部２０２がネットワークを介して天気情報を提供するサーバ装置に接続し、腕時計１を装着しているユーザがいる場所の天気情報を取得する場合の例として、２次元アレイセグメント領域３５１には、取得された天気情報（曇りときどき晴れ）を示す画像（マーク）も表示されている。
【０１９５】
２次元アレイセグメント領域３５１には、腕時計として一般に表示される日付や曜日などの情報を表示させてもよい。
【０１９６】
このように、腕時計１のバンド部２２は、単に、バンドやブレスレットの柄模様を表示するものに限られない。これにより、腕時計１では、フェイス部２１だけではなく、バンド部２２でも所定の情報を表示させることができるので、多種多様な情報をユーザに提示することができる。
【０１９７】
従って、上述した各実施の形態の腕時計１は、フェイス部２１だけではなく、バンド部２２においても所定の情報を表示させることができる情報表示装置であると言える。
【０１９８】
なお、本明細書において、フローチャートに記述されたステップは、記載された順序に沿って時系列的に行われる場合はもちろん、必ずしも時系列的に処理されなくとも、並列に、あるいは呼び出しが行われたとき等の必要なタイミングで実行されてもよい。
【０１９９】
また、上述した各処理は、それぞれが独立して実行されてもよいし、並列に実行されてもよい。
【０２００】
本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０２０１】
本開示の実施の形態は、上述した実施の形態に限定されるものではなく、本開示の要旨を逸脱しない範囲において種々の変更が可能である。
【０２０２】
例えば、上述した複数の実施の形態の全てまたは一部を組み合わせた形態を採用することができる。
【０２０３】
例えば、腕時計１が通信機能を有している場合には、腕時計１が行うものとして説明した処理の一部をクラウドサーバが行うクラウドコンピューティングの構成をとることができる。
【０２０４】
また、上述のフローチャートで説明した各ステップは、１つの装置で実行する他、複数の装置で分担して実行することができる。
【０２０５】
さらに、１つのステップに複数の処理が含まれる場合には、その１つのステップに含まれる複数の処理は、１つの装置で実行する他、複数の装置で分担して実行することができる。
【０２０６】
なお、本明細書に記載された効果はあくまで例示であって限定されるものではなく、本明細書に記載されたもの以外の効果があってもよい。
【０２０７】
なお、本開示は以下のような構成も取ることができる。
（１）
少なくとも時刻情報を提示する時刻情報提示部と、腕に装着するためのバンド部とで構成される表示部と、
前記表示部の表示を変更する表示制御部と
を備える情報表示装置。
（２）
前記表示部は、電気泳動型ディスプレイで構成される
前記（１）に記載の情報表示装置。
（３）
前記表示制御部は、複数のデザインデータから選択されたデザインデータに基づいて、前記表示部の表示を変更する
前記（１）または（２）に記載の情報表示装置。
（４）
前記複数のデザインデータを記憶する記憶部をさらに備える
前記（３）に記載の情報表示装置。
（５）
前記複数のデザインデータのなかから、１つのデザインデータを選択する選択部をさらに備える
前記（３）または（４）に記載の情報表示装置。
（６）
他の通信装置から前記表示部に表示させるためのデザインデータを受信する通信部をさらに備え、
前記表示制御部は、受信した前記デザインデータに基づいて、前記表示部の表示を変更する
前記（１）乃至（５）のいずれかに記載の情報表示装置。
（７）
前記情報表示装置の状態を検出するセンサをさらに備え、
前記表示制御部は、前記センサの検出結果に基づいて、前記時刻情報提示部の表示を変更する
前記（１）乃至（６）のいずれかに記載の情報表示装置。
（８）
前記センサは、加速度センサであり、
前記表示制御部は、前記情報表示装置の傾き状態に基づいて、前記時刻情報提示部の表示を変更する
前記（７）に記載の情報表示装置。
（９）
前記表示制御部は、前記情報表示装置が水平状態であると判定された場合に、前記時刻情報提示部の表示を変更する
前記（８）に記載の情報表示装置。
（１０）
前記センサは、加速度センサであり、
前記表示制御部は、前記センサの検出結果に基づいて、前記情報表示装置を装着しているユーザが前記情報表示装置を見たと判定された場合に、前記時刻情報提示部の表示を変更する
前記（７）に記載の情報表示装置。
（１１）
前記センサは、加速度センサであり、
前記表示制御部は、前記センサの検出結果に基づいて前記情報表示装置に対するユーザのアクションを判別し、前記時刻情報提示部の表示を変更する
前記（７）乃至（１０）のいずれかに記載の情報表示装置。
（１２）
前記表示制御部は、前記時刻情報提示部とともに、前記バンド部の表示も変更する
前記（７）乃至（１１）のいずれかに記載の情報表示装置。
（１３）
前記情報表示装置の電源の残電圧を検出する残電圧検出部をさらに備え、
前記表示制御部は、前記残電圧検出部の検出結果に基づいて、前記表示部の表示を変更する
前記（１）乃至（１２）のいずれかに記載の情報表示装置。
（１４）
前記表示制御部は、前記電源の残電圧が所定のレベル以下である場合に、低電圧状態であることを知らせる表示に変更する
前記（１３）に記載の情報表示装置。
（１５）
前記バンド部の表示は、柄模様を表す表示である
前記（１）乃至（１４）のいずれかに記載の情報表示装置。
（１６）
情報表示装置の表示制御部が、少なくとも時刻情報を提示する時刻情報提示部と、腕に装着するためのバンド部とで構成される表示部の表示を変更する
情報表示装置の情報表示方法。
（１７）
コンピュータを、
少なくとも時刻情報を提示する時刻情報提示部と、腕に装着するためのバンド部とで構成される表示部の表示を変更する表示制御部
として機能させるためのプログラム。
（１８）
情報表示装置と端末装置とからなり、
前記情報表示装置は、
少なくとも時刻情報を提示する時刻情報提示部と、腕に装着するためのバンド部とで構成される表示部と、
前記表示部の表示を変更する表示制御部と、
前記端末装置から前記表示部に表示させるためのデザインデータを受信する通信部と    を備え、
前記端末装置は、前記デザインデータを前記通信部に送信する
通信システム。
【符号の説明】
【０２０８】
１  腕時計，  １１  表示部，  ２１  フェイス部，  ２２  バンド部，  ２４  ラバーバンド，  ２８  プッシュボタン，  ４１  制御部，  ５１  電気泳動型ディスプレイ，  ６１  記憶部，  ６３  加速度センサ，  ６６  コントローラ，  ６７  駆動部，  ７３  残電圧検出部，  ２０１  センサ，  ２０２  通信部，  ３０２  サーバ，  ３０３  端末装置，  ３５１  ２次元アレイセグメント領域
【図１】
2019194612.tif 000003
【図２】
2019194612.tif 000004
【図３】
2019194612.tif 000005
【図４】
2019194612.tif 000006
【図５】
2019194612.tif 000007
【図６】
2019194612.tif 000008
【図７】
2019194612.tif 000009
【図８】
2019194612.tif 000010
【図９】
2019194612.tif 000011
【図１０】
2019194612.tif 000012
【図１１】
2019194612.tif 000013
【図１２】
2019194612.tif 000014
【図１３】
2019194612.tif 000015
【図１４】
2019194612.tif 000016
【図１５】
2019194612.tif 000017
【図１６】
2019194612.tif 000018
【図１７】
2019194612.tif 000019
【図１８】
2019194612.tif 000020
【図１９】
2019194612.tif 000021
【図２０】
2019194612.tif 000022
【図２１】
2019194612.tif 000023
【図２２】
2019194612.tif 000024
【図２３】
2019194612.tif 000025